(57)【要約】【課題】引出しを外側に順調な移動ができて、位置決め目的を実現できること。【解決手段】筐体に底部レールを設け、底部レールに回転自在に締結部材を設け、底部レールに滑りレールを設け、滑りレールに制動部材を設け、制動部材は弾性部材を介して固定部材に連結し、滑りレール上にて摺動する内側レールを設け、内側レールと引出しを結合し、内側レールはさらに受動部材を設け、内側レールが引出しに追随して筐体の内側に移動するとき、滑りレールが移動するように、受動部材に取付溝及び回転自在のトグル部材を設ける。【選択図】図５Ｃ
0003140520.tif 000002
【実用新案登録請求の範囲】
【請求項１】
底部レールと、一つ以上の滑りレールと、内側レールと、トグル部材とを具備する引出し固定装置であって、
底部レールは任意の物体に固定できて、該底部レールの一端に締結部材を設け、
前記一つ以上の滑りレールは、底部レールに埋め込み、底部レール上にて摺動でき、該滑りレールは締結部材の接近場所に制動部材を設け、該制動部材は弾性部材と連結し、プッシュプール動作によって、弾性部材の弾性の働きでもって戻り動作を行うことができ、
前記内側レールは、物体上にて自在に移動する引出しに取付けられ、該内側レールに受動部材を設け、該受動部材に取付溝を設け、
前記トグル部材は、受動部材に取着され、該トグル部材は一定の角度にて旋回でき、
内側レールが引出しとともに移動するときに、滑りレールも追随して移動し、制動部材も追随して移動して受動部材に押しつけ、受動部材に押し進めて、受動部材のトグル部材が押しつけられて回転し、締結部材を弾き、引っ張り出された弾性部材の弾性の働きにより制動部材をやや戻して、トグル部材を元の位置に戻すと同時に、締結部材が自重により受動部材の取付溝に落ちて、固定の働きを実現するとともに、内側レールを前記と逆に操作した場合は、引出しを筐体内部に移動させ、締結部材を取付溝の縁部に沿って摺動させ、取付溝より吐き出して、引出しを外側に引き出すことができるように構成したことを特徴トする引出し固定装置。
【請求項２】
底部レール、滑りレール及び内側レールはともにＵ字形を呈する筐体を用いることを特徴とする請求項１記載の引出し固定装置。
【請求項３】
弾性部材の一端を制動部材に取付け、その他端を固定部材に取付け、該固定部材は滑りレールが制動部材を離れた縁部場所と底部レールの突起ピンに制限されることを特徴とする請求項１記載の引出し固定装置。
【請求項４】
弾性部材にばねを用いることを特徴とする請求項１記載の引出し固定装置。
【請求項５】
締結部材はらせん部材により底部レールに枢設されることを特徴とする請求項１記載の引出し固定装置。
【請求項６】
らせん部材はらせん棒を用いることを特徴とする請求項５記載の引出し固定装置。
【請求項７】
締結部材は底部レールに旋設された遠い端に突き出して嵌め込み体を設けることを特徴とする請求項１記載の引出し固定装置。
【請求項８】
嵌め込み体は円柱を用いることを特徴とする請求項７記載の引出し固定装置。
【請求項９】
制動部材に突起体を設け、該突起体は滑りレールの孔に固定して、制動部材を滑りレールと底部レールの向かい側に設けることを特徴とする請求項１記載の引出し固定装置。
【請求項１０】
受動部材は内側レールに装入された固定部によって、内側レールに固定されることを特徴とする請求項１記載の引出し固定装置。
【請求項１１】
固定部材は栓体を用いることを特徴とする請求項１０記載の引出し固定装置。
【請求項１２】
受動部材に備える取付溝に突き出して肋材を設け、その両側に開口部を向かい合って設け、該開口部は肋材と向かい合わせて、締結部材の嵌め込み体は一つの開口部より取付溝に進入した後、自重により、肋材方向からもう一つの開口部に落ちて、該開口部より吐き出して、受動部材を引き離すことを特徴とする請求項１記載の引出し固定装置。
【請求項１３】
トグル部材の一端は内側へ次第に収縮するトグル部を設け、他端に円孔を設け、該円孔は丁度受動部材の旋動ピンに装入でき、該旋動ピンの縁部に一つ以上のフランジを設けて、円孔と旋動ピンとの間の摩擦力を向上することを特徴とする請求項１記載の引出し固定装置。
【請求項１４】
受動部材はトグル部材の向かい側に突起状の当て駒を設け、該当て駒はトグル部材縁部表面の固定溝と組み合わせて、トグル部材が回転するとき、固定溝と当て駒の協働により、所定位置にそれぞれ固定されることを特徴とする請求項１記載の引出し固定装置。
【請求項１５】
トグル部材は受動部材縁部の接触場所に誘導体を設け、該誘導体に誘導溝を設け、該誘導溝は受動部材と離れた内側レールの固定縁部に装入でき、トグル部材は受動部材の縁部に沿って回転できることを特徴とする請求項１記載の引出し固定装置。
【請求項１６】
底部レールと、一つ以上の滑りレールと、固定部材と、内側レールと、トグル部材とを具備する引出し固定装置であって、
前記底部レールは、任意の物体に固定できて、該底部レールの一端に締結部材を設け、
前記一つ以上の滑りレールは、底部レールに埋め込み、底部レール上にて摺動でき、該滑りレールは締結部材の付近場所に制動部材を設け、
前記固定部材は、滑りレールを離れて制動部材の一端に固定され、該固定部材は弾性部材を介して、制動部材と接続し、該固定部材は底部レール上の突起ピンに制限され、該突起ピンは締結部材を離れた縁部に固定され、
前記内側レールは、物体上にて自在に移動する引出しに取付け、該内側レールに受動部材を設け、該受動部材に取付溝を設け、
前記トグル部材は、受動部材に旋設され、該トグル部材は一定の角度にて旋転でき、
前記の構成要素により、内側レールが移動するときに滑りレールも追随して移動し、制動部材も追随して移動し受動部材に押しつけ、受動部材に押し進めて、受動部材のトグル部材は押しつけられて回転し、締結部材を弾き、固定部材が突起ピンに締結し、受動部材によって引っ張り出された弾性部材がその弾性の働きにより制動部材をやや戻して、トグル部材を元の位置に戻すと同時に、締結部材が自重により受動部材の取付溝に落ちて、固定の働きを実現するとともに、内側レールを前記と逆に操作した場合には、引出しを筐体内部へ少し移動させ、締結部材を取付溝の縁部に沿って摺動させ、取付溝より吐き出して、引出しを外側に引き出すことができるように構成したことを特徴とする引出し固定装置。
【請求項１７】
底部レール、滑りレール及び内側レールはともにＵ字形の筐体を用いることを特徴とする請求項１６記載の引出し固定装置。
【請求項１８】
弾性部材にはばねを用いることを特徴とする請求項１６記載の引出し固定装置。
【請求項１９】
締結部材はらせん部材により底部レールに枢設されることを特徴とする請求項１６記載の引出し固定装置。
【請求項２０】
らせん部材はらせん棒を用いることを特徴とする請求項１９記載の引出し固定装置。
【請求項２１】
締結部材は底部レールに旋設された遠い端に突き出して嵌め込み体を設けることを特徴とする請求項１６記載の引出し固定装置。
【請求項２２】
嵌め込み体は円柱を用いることを特徴とする請求項２１記載の引出し固定装置。
【請求項２３】
制動部材に突起体を設け、該突起体は滑りレールの孔に固定して、制動部材を滑りレールと底部レールの向かい側に設けることを特徴とする請求項１６記載の引出し固定装置。
【請求項２４】
受動部材は内側レールに装入された固定部によって、内側レールに固定されることを特徴とする請求項１６記載の引出し固定装置。
【請求項２５】
固定部材は栓体を用いることを特徴とする請求項２４記載の引出し固定装置。
【請求項２６】
受動部材に備える取付溝に突き出して肋材を設け、その両側に開口部を向かい合って設け、該開口部は肋材と向かい合わせて、締結部材の嵌め込み体は一つの開口部より取付溝に進入した後、自重により、肋材方向からもう一つの開口部に落ちて、該開口部より吐き出して、受動部材を引き離すことを特徴とする請求項１６記載の引出し固定装置。
【請求項２７】
トグル部材の一端は内側へ次第に収縮するトグル部を設け、他端に円孔を設け、該円孔は丁度受動部材の旋動ピンに装入でき、該旋動ピンの縁部に一つ以上のフランジを設けて、円孔と旋動ピンとの間の摩擦力を向上することを特徴とする請求項１６記載の引出し固定装置。
【請求項２８】
受動部材はトグル部材の向かい側に突起状の当て駒を設け、該当て駒はトグル部材縁部表面の固定溝と組み合わせて、トグル部材が回転するとき、固定溝と当て駒の協働により、所定位置にそれぞれ固定されることを特徴とする請求項１６記載の引出し固定装置。
【請求項２９】
トグル部材は受動部材縁部の接触場所に誘導体を設け、該誘導体に誘導溝を設け、該誘導溝は受動部材と離れた内側レールの固定縁部に装入でき、トグル部材は受動部材の縁部に沿って回転できることを特徴とする請求項１６記載の引出し固定装置。
【考案の詳細な説明】
【技術分野】
【０００１】
本考案は引出し固定装置に関し、特に滑りレールユニットが締結方式により、引出しの内部側面に固定させ、自動固定の目的を実現できる引出し固定装置に関するものである。
【背景技術】
【０００２】
通常、引出しの内部側面に複数の滑りレールユニットをそれぞれ向かい合わせて設けられている。該滑りレールユニットはそれぞれ底部筐体を備える。該底部筐体は引出し両側に向かい合わせて取り付け、該底部筐体にて摺動する中間レールを設ける。
該中間レールは引出す距離を延ばす機能を有し、該中間レールはさらに内側レールを埋め込み、該内側レールは引出しに結合する。
これにより、引出しを外側に引き出すと、中間レールも追随して外側に移動して、引出しを引出し筐体外部に露出させることができる。
一方、逆の操作をすることで、中間レールと内側レールは底部筐体の上方で重なる。
【考案の開示】
【考案が解決しようとする課題】
【０００３】
しかしながら、この種の引出し装置を組み立てるとき、底部筐体、中間レール及び内側レールが相互に締結しているため、底部筐体を引出し筐体内部の内部側面に固定すると、中間レールと内側レールは引出しの往復移動に追随して往復移動するため、使用者を困惑させている。
さらに、位置決め装置がないため、引出しが引き出されたとき、隣の引出し同士も追随して移動することから、使用面では理想的とはいえない。
【課題を解決するための手段】
【０００４】
前記した公知の従来技術の装置及び構造上の欠点を改善すべく、本出願人は関連製造における長年の経験に基づいて、長期間の研究、実験及び努力の結果、本考案の引出し固定装置を考案した。
【０００５】
筐体に底部レールを設け、該底部レールに自在の締結部材を設け、底部レール上に一つ以上の滑りレールを設け、該滑りレールに制動部材を設け、該制動部材は弾性部材は介して固定部材に連結し、該滑りレールにて摺動する内側レールを設け、該内側レールは引出しに結合し、該内側レールに受動部材を設け、該受動部材に取付溝及び自在のトグル部材を設け、内側レールが引出しに追随して筐体内側に移動するとき、滑りレールも追随して移動し固定部材は底部レール上に押さえつけ、弾性部材に連結された制動部材は引出しの伝動により、引き続きに内側へ移動して、受動部材を押さえつけ、受動部材に備えるトグル部材は押さえつけられて回転し締結部材を弾き。引出しが定位置に到達した後、使用者が手を離すと、引き伸ばされた弾性部材は弾性働きにより、制動部材を内側へ少し戻し、トグル部材を元の位置に戻す。締結部材は自重により、受動部材の取付溝に落ちて、位置固定の働きを実現する。逆操作の場合、引出しを筐体内部へ少し戻して、締結部材は取付溝の縁にそって摺動し、取付溝の開口部より吐き出す。これにより、使用者は引出しを外側に順調な移動ができ、使用に便利を提供できるほか位置決めの目的を実現できる、一種の引出し固定装置を提供することを本考案の一つの目的である。
【０００６】
該取付溝に突き出して肋材を設け、両側に開口部を向かい合わせて設け、該開口部は肋材と向かい合わせる。締結部材は受動部材に接近する端に嵌め込み体を突き出して設け、嵌め込み体は開口部より取付溝に進入した後、自重により肋材方向に沿って、もう一つの開口部より吐き出して、トグル部材にて維持しながら、受動部材を引き離す。これにより、引出しの移動に追随して、制動部材に締結又は引き離すことのできる、一種の引出し固定装置を提供することを本考案もう一つの目的である。
【０００７】
本考案の形状、構造及びその効果についてさらなる理解を図るため、本考案の実施例と図面とを併せて以下のとおり詳細に説明する。
【考案を実施するための最良の形態】
【０００８】
［実施例１］
図１、２、３、４に本考案の引出し装置を示す。
本考案に係る引出し装置は、主に筐体としての底部レール１０を具備する。
本実施例においては、底部レール１０がＵ字形を呈する筐体で構成する場合について説明する。
該底部レール１０は筐体内部に向かい合わせた壁面に(図示しない)取付けられる。該底部レール１０の筐体開口部の接近端はパンチ加工により突起ピン１１を設けるとともに、他端には締結部材２０を旋設する。本実施例においては締結部材２０としてブロック体を用いている。
該締結部材２０に旋転孔（ねじ穴）２１を設ける。該旋転孔２１にらせん部材（ねじ）２２を設ける。
本実施例において、らせん部材２２はらせん棒を用いる。
該らせん部材２２は底部レール１０の貫通孔１２に締め付けて、締結部材２０と底部レール１０を結合する。らせん部材２２を芯として回転可能に取り付ける。
該締結部材２０の底部レール１０に離れて取着された側には、嵌め込み体２３を突出して設ける。本実施例において嵌め込み体２３は円柱状を呈する。
【０００９】
該底部レール１０はさらに複数の滑りレール３０を設ける。本実施例においては、一つの滑りレール３０を用いる。
該滑りレール３０は略Ｕ字形の筐体に形成される。該滑りレール３０の一端には位置決め部材３１を設ける。該位置決め部材３１の両側には開先３１１をそれぞれ設ける。
該開先３１１と底部レール１０とは開口部の突起片１４とが互いに組み合わって、滑りレール３０が位置決め部材３１の位置決めの働きにより摺動により底部レール１０より離脱しない。
ただし、当該技術は公知技術と同様であり、かつ本考案の特徴ではないため、ここでの説明を省略する。
該滑りレール３０の他端には制動部材４０を設ける。本実施例において筐体を設ける。該制動部材４０には突起体４１を設ける。該突起体４１は滑りレール３０の孔３２に固定することにより、制動部材４０を滑りレール３０と底部レール１０の向かい側に固定する。
該制動部材４０は固定部材を離れた縁部に向かい合わせて締結部材４２を設ける。本実施例においては、突起ピンを用いる。
該締結部材４２は弾性部材４３にそれぞれ締結する。本実施例において弾性部材４３には、ばねを用いる。
ただし、当該技術を熟知する者は他の素子によって取り替えることができる。
該弾性部材４３の他端は固定部材５０に締結する。
該固定部材５０は位置決め部材３１と底部レール１０の突起ピン１１との間に設ける。
該固定部材５０はさらに、締結部材５１を設けて、弾性部材４３を締結する。
【００１０】
さらに、該滑りレール３０上に内側レール６０を設ける。
本実施例において内側レール６０は、Ｕ字形の筐体で構成する。
該内側レール６０の一端には阻止部材６１を設ける。
該阻止部材６１は位置決め部材３１に押さえつけて、滑りレール３０を伝動し移動させる。
内側レール６０の他端の滑りレール３０の向かい側には受動部材７０を設ける。
本実施例において受動部材７０は、ブロック体で構成する。
該受動部材７０は内側レール６０に装入された固定部材７１(本実施例において、栓体を用いる。)により、同じレベルにて、内側レール６０と制動部材４０より高くして、内側レール６０上に取り付ける。
該受動部材７０の他端にトグル部材８０を設ける。
本実施例においてトグル部材８０は、略水滴形状を呈するブロック体で構成する。
該トグル部材８０の一端は内側へ次第に収縮するトグル部８１を設け、他端に円孔８２を設ける。
該円孔８２はちょうど受動部材７０の枢動ピン７２に装入できる。
該枢動ピン７２の縁部に一つ以上のフランジ７２１を設けて、円孔８２と枢動ピン７２との摩擦力を向上し、トグル部材８０の回転速度を調節する。
さらに、該受動部材７０はトグル部材８０の向かい側に当て駒７３を突き出して設ける。
該当て駒７３はトグル部材８０縁部表面の固定溝８３とユニットみ合わせてトグル部材８０が回転するときに、該取付溝８３とブロック７３との協働により、所定の位置にそれぞれ固定する。
該トグル部材８０は受動部材７０縁部の接触場所に誘導体８４を設ける。
該誘導体８４には誘導溝８４１を設ける。該誘導溝８４１は受動部材７０と離れた内側レール６０に固着された縁部に装入でき、トグル部材８０を受動部材７０の縁部に沿って回転させる。
【００１１】
さらに、該受動部材７０にトグル部材８０のすぐそばに取付溝７４を設ける。
該取付溝７４は滑りレール３０の向かい側に設ける。
該取付溝７４の両側に開口部７５を向かい合って設ける。
該取付溝７４はさらに開口部７５に延ばす肋材７６を設ける。
【００１２】
図５Ａ、５Ｂ、５Ｃに示す通り、引出しを筐体内部に押しつけて、内側レール６０も追随して移動する。
内側レール６０は阻止部材６１によって、滑りレール３０に引き止められ、滑りレール３０が追随して内側へ移動する。
滑りレール３０が移動するとき、固定部材５０は底部レール１０の突起ピン１１当たることにより、固定される。
一方、滑りレール３０は引き続き内側レール６０に追随して内側へ移動する。
弾性部材４３も制動部材４０の移動により引き伸ばして変形する。
制動部材４０は受動部材７０に押しつけて受動部材７０を締結部材２０へ次第に接近する。
トグル部材８０は受動部材７０に押しつけられて、ある定位置からもう一つの定位置に移動し、締結部材２０の角度を改変させる。
トグル部材８０のトグル部８１の押しつけにより、受動部材７０の取付溝７４の開口部７５へ次第に接近する。
トグル部材８０は受動部材７０の移動及び押しつけによって、締結部材２０から徐々に引き離される。
締結部材２０の嵌め込み体２３はその自重により、取付溝７４に落ちて、制動部材４０も弾性部材４３の弾性働きにより自動的外側へ移動する。
受動部材７０も追随して少し移動して、嵌め込み体２３を取付溝７４に締結して、引出しの自動固定の目的を実現できる。
【００１３】
図６Ａ、６Ｂ、６Ｃ、６Ｄ、６Ｅ、６Ｆに示す通り、引出しを筐体内部から外側に引き出すときは、まず引出しを筐体内部に押しつけ、取付溝７４の嵌め込み体２３を肋材７６に沿って、もう一つの開口部７５に移動させる。
嵌め込み体２３をもう一つの開口部７５より滑り出した後、弾性部材４３の弾性の働きにより引出しを外側に引き出す。
【００１４】
本考案は前記した好ましい実施例により説明しているが、この技術に熟知する者はさまざまな変化を容易に想到できる。
ただし、それらの等効果変化による応用は、なお本考案の精神及び請求範囲に含まれるものである。
【図面の簡単な説明】
【００１５】
【図１】本考案の立体分解概略図である。
【図２】本考案の局部部品の立体分解概略図である。
【図３】本考案の局部部品もう一つの視角による立体分解概略図である。
【図４】本考案の締結部材の摺動動作概略図である。
【図５Ａ】本考案の引出しを筐体内部に進入した動作概略図である。
【図５Ｂ】本考案の制動部材が受動部材を係動する動作概略図である。
【図５Ｃ】本考案の引出しを筐体内部に進入し固定される動作概略図である。
【図６Ａ】本考案の引出しを外側に引き出すとき、まず内側に押す動作の概略図である。
【図６Ｂ】本考案の引出しを外側に引き出すとき、まず内側に押さえつけて、締結部材が下方に落ちる動作の概略図１である。
【図６Ｃ】本考案の引出しを外側に引き出すとき、まず内側に押さえつけて、締結部材が下方に落ちる動作の概略図２である。
【図６Ｄ】本考案の引出しを外側に引き出すとき、まず内側に押さえつけて、締結部材が下方に落ちる動作の概略図３である。
【図６Ｅ】本考案の締結部材を制動部材から退却する動作概略図である。
【図６Ｆ】本考案の引出しを外側に引き出すときの動作概略図である。
【符号の説明】
【００１６】
１０            底部レール
１１            突起ピン
１２            貫通孔
１４            突起片
２０            締結部材
２１            旋転孔
２２            らせん部材
２３            嵌め込み体
３０            滑りレール
３１            位置決め部材
３１１            開先
３２            孔
４０            制動部材
４１            突起体
４２、５１        締結部材
４３            弾性部材
５０            固定部材
６０            内側レール
６１            阻止部材
７０            受動部材
７１            固定部材
７２            枢動ピン
７２１            フランジ
７３            当て駒
７４            取付溝
７５            開口部
７６            肋材
８０            トグル部材
８１            トグル部
８２            円孔
８３            固定溝
８４            誘導体
８４１            誘導溝
【図１】
0003140520.tif 000003
【図２】
0003140520.tif 000004
【図３】
0003140520.tif 000005
【図４】
0003140520.tif 000006
【図５Ａ】
0003140520.tif 000007
【図５Ｂ】
0003140520.tif 000008
【図５Ｃ】
0003140520.tif 000009
【図６Ａ】
0003140520.tif 000010
【図６Ｂ】
0003140520.tif 000011
【図６Ｃ】
0003140520.tif 000012
【図６Ｄ】
0003140520.tif 000013
【図６Ｅ】
0003140520.tif 000014
【図６Ｆ】
0003140520.tif 000015